(57)【要約】【課題】  二丁の安全フックの掛け外しが一度にできると共に、作業時における二丁の安全フックが互いに衝突するのを防止することが可能な二丁掛け安全帯の提供を図る。【解決手段】  高所作業等において使用される安全帯１０であって、二丁の安全フック１１が夫々所要長さの命綱１６を介して胴巻ベルト１５に連結されて成り、該二丁の安全フック１１における対向する内側面の所定箇所に、夫々連結機構１２が設けられた構成となっている。該連結機構１２は、マグネット、面ファスナー、ボタンフックの何れかにより形成された手段を採り得る。【選択図】図１
2018079128.tif 000002
【特許請求の範囲】
【請求項１】
高所作業等において使用される安全帯であって、
前記安全帯は、ストッパーを備える二丁の安全フックが夫々所要長さの命綱を介して胴巻ベルトに連結されて成り、
前記二丁の安全フックを重ね合わせた際の対向する内側面の所定箇所に夫々連結機構が設けられ、該連結機構を介して二丁の安全フックを重ね合わせた状態で連結可能であることを特徴とする二丁掛け安全帯。
【請求項２】
前記連結機構が、マグネット、面ファスナー、ボタンフックの何れかにより形成されていることを特徴とする請求項１記載の二丁掛け安全帯。
【請求項３】
前記連結機構が、一方の安全フックのストッパーを開放することで、二丁の安全フックの連結状態が解除される構造から成ることを特徴とする請求項１または請求項２に記載の二丁掛け安全帯。
【発明の詳細な説明】
【技術分野】
【０００１】
本発明は、安全帯に関し、詳しくは、高所作業等において使用される二丁掛けの安全帯に関するものである。
【背景技術】
【０００２】
従来における建築現場、橋梁工事、鉄塔工事等の高所作業では、安全帯を身体に着用し、ロープの先端部に備えられたフックを建築物の親綱や誘導パイプ等に引っ掛けて、作業者の墜落を防止する安全対策が講じられている。その際、作業行動範囲は、安全帯のロープの長さによって限定されることになるため、広範囲の移動ならびに鉄骨柱を跨ぐ状態で移動しながら作業する場合においては、フックを一度外し、さらにその外したフックを掛け替える必要があるため、フックを外して掛け替えるまでの間の作業者は、一時的に落下の危険性に晒されることになる状態になる。したがって、危険性の高い高所作業現場にあっては、２本の安全フックが具備される安全帯を装用して、フックの掛け替えを繰り返しながら順次作業を進めなければならない、といった面倒な作業をする必要があった。
【０００３】
上記のような具体的な安全帯の提案としては、例えば、支持体の径が大きい場合でも支持体の破損するおそれがないように胴綱回し掛けをスムーズにする「柱上安全帯」（特許文献１）や、フック付きロープを簡単な作業によって嵩低く折り畳むことができる「高所作業用安全帯」（特許文献２）などが提案され、公知技術となっている。
【０００４】
しかしながら、かかる「柱上安全帯」ならびに「高所作業用安全帯」の何れの提案も、作業者が広範囲に移動する場合や、鉄骨柱を跨ぐ状態で移動しながら作業する場合は、フックを一旦外して再びフックを掛け替える必要があることによって、作業者が一時的に落下の危険性に晒される、といった安全上の問題を解決するものではなかった。
【０００５】
また、落下の危険性についての問題点を解決しようと、二本の安全帯のロープを蛇腹構造とすることで使いやすく安全性が高いものとした二丁掛けの「安全帯」（特許文献３）が提案され、公知技術となっている。
【０００６】
しかしながら、かかる二丁掛けの「安全帯」の提案は、ロープの伸縮によって広範囲に移動する場合や、鉄骨柱を跨ぐ状態で移動しながら作業する場合においては、安全フックを一旦外して再び安全フックを掛け替える必要があることによって、作業者が一時的に落下の危険性に晒されるといった安全上の問題は解決することができるが、親綱へ最初に安全フックを掛ける際に二丁別々に掛ける手間がかかると共に、外す際も同様に二丁別々に外す手間がかかり、さらには、移動時ならびに作業時において二丁の安全フックが互いにぶつかり合って衝突音が発生したり、安全フックの破損が生じ易い、といった問題点があった。
【０００７】
本出願人は、上記のような二丁掛けの安全フックの掛け外しの際の手間や作業時に互いにぶつかり合って衝突音や破損が生ずるといった問題点に着目し、安全上問題ない上に簡易且つ軽量な構造によって上記の問題を解決することができないものかという着想の下、二丁の安全フックを互いに連結可能にして必要に応じて着脱することで上記問題を解決する安全帯を開発し、本発明における「二丁掛け安全帯」の提案に至るものである。
【先行技術文献】
【特許文献】
【０００８】
【特許文献１】特開２００９−１９５６３３号公報
【特許文献２】特開２００９−１７９４２号公報
【特許文献３】実用新案登録第３１７０２６２号公報
【発明の概要】
【発明が解決しようとする課題】
【０００９】
本発明は、上記問題点に鑑み、二丁の安全フックの掛け外しが一度にできると共に、作業時における二丁の安全フックが互いに衝突するのを防止することが可能な二丁掛け安全帯を提供することを課題とする。
【課題を解決するための手段】
【００１０】
上記課題を解決するため、本発明は、高所作業等において使用される安全帯であって、ストッパーを備える二丁の安全フックが夫々所要長さの命綱を介して胴巻ベルトに連結されて成り、該二丁の安全フックを重ね合わせた際の対向する内側面の所定箇所に夫々連結機構が設けられ、該連結機構を介して二丁の安全フックを重ね合わせた状態で連結可能である手段を採用する。
【００１１】
また、本発明は、前記連結機構が、マグネット、面ファスナー、ボタンフックの何れかにより形成された手段を採用し得る。
【００１２】
さらに、本発明は、前記連結機構が、一方の安全フックのストッパーを開放することで、二丁の安全フックの連結状態が解除される構造から成る手段を採用し得る。
【発明の効果】
【００１３】
本発明にかかる二丁掛け安全帯によれば、安全フックを二丁掛けにすることによって、広範囲に移動する場合や、鉄骨柱を跨ぐ状態で移動しながら作業する場合において、作業者が一時的に落下の危険性に晒されるといった安全上の問題を解決することができると共に、既存の安全帯のフックにも後付けで本発明を採用し得る、といった優れた効果を奏する。
【００１４】
また、本発明にかかる二丁掛け安全帯によれば、二丁の安全フックが連結機構によって互いに連結可能であるため、該二丁の安全フックを連結して一体化することで、二丁のフックの掛け外しを同時に行うことができる、といった優れた効果を奏する。
【００１５】
さらに、本発明にかかる二丁掛け安全帯によれば、二丁の安全フックが連結機構によって互いに連結可能であるため、移動時ならびに作業時において二丁のフックが互いにぶつかり合って発生する衝突音を防止することができると共に、安全フックの破損防止にも資する、といった優れた効果を奏する。
【００１６】
またさらに、本発明にかかる二丁掛け安全帯によれば、前記連結機構がマグネットで形成されることによって、鉄骨柱を跨ぐ状態で移動しながら作業する場合において、一時的にフックを鉄骨柱に磁着させることによって、安全性の確保ならびに作業上の移動効率を上げることができる、といった優れた効果を奏する。
【００１７】
さらにまた、本発明にかかる二丁掛け安全帯によれば、前記連結機構について、一方の安全フックのストッパーを開放することで、二丁の安全フックの連結状態が解除される構造を採用することにより、連結状態にある二丁の安全フックの一方を掛け替える際の作業が容易にできる、といった優れた効果を奏する。
【図面の簡単な説明】
【００１８】
【図１】本発明にかかる二丁掛け安全帯の実施形態を示す説明図である。
【図２】本発明にかかる二丁掛け安全帯の連結機構の取り付け状態を示す説明図である。
【図３】本発明にかかる二丁掛け安全帯の使用状態を示す説明図である。
【発明を実施するための形態】
【００１９】
本発明にかかる二丁掛け安全帯１０は、連結機構１２を介して二丁の安全フック１１を重ね合わせた状態で連結可能であることを最大の特徴とする。
以下、本発明にかかる二丁掛け安全帯１０の実施形態を、図面に基づいて説明する。
【００２０】
尚、本発明は、以下に述べる実施形態に限定されるものではなく、本発明の技術的思想の範囲内、すなわち同一の作用効果を発揮できる形状や寸法等の範囲内で、適宜変更することができる。
【００２１】
図1は、本発明にかかる二丁掛け安全帯１０の実施形態を示す説明図である。
本発明にかかる二丁掛け安全帯１０は、高所作業等において使用されるものであって、ストッパー１３を備える二丁の安全フック１１が、夫々所要長さの命綱１６を介して胴巻ベルト１５に連結されて構成されている。
【００２２】
二丁掛け安全帯１０の全体構成は、作業者Ｓの胴部に巻かれる胴巻ベルト１５の両端に連結バックル１９を設けると共に、その胴巻ベルト１５には所要長さを有する二本の命綱１６が夫々連結され、該命綱１６の先端には夫々安全フック１１が備え付けられている。尚、二本の命綱１６のうち一本は、図面に示すように、胴巻ベルト１５に備えられる命綱巻き取り装置１７に連結される態様であってもよい。また、二本の命綱１６が一本に束ねられる態様、即ち、胴巻ベルト１５には一本に束ねられた命綱１６が一箇所にて連結され、所定中間箇所から該命綱１６が二本に分岐する態様であってもよい。さらに、胴巻ベルト１５には、二丁の安全フック１１を収納する収納袋１８と、胴巻ベルト１５の長さを調整する長さ調整バックル２０と、胴巻ベルト１５との位置調整と命綱１６を連結するスライド連結バックル２１と、が必要に応じて装備されている。
【００２３】
安全フック１１は、建築物の親綱Ｒや誘導パイプ等に引っ掛けた際に外れないように、フック全体が環状を為すようにバネ等で付勢され内側へ押圧することで開放可能なストッパー１３が備えられている。また、かかる安全フック１１について、二丁の安全フック１１を重ね合わせた際の対向する内側面の所定箇所には、夫々連結機構１２が設けられており、該連結機構１２を介して二丁の安全フック１１を重ね合わせた状態で連結することが可能になっている。
【００２４】
連結機構１２の具体的構造については、特に限定は無いが、二丁の安全フック１１を重ね合わせた際に嵩張らず且つ簡易な構造であることが好ましく、その様な構造による連結機構１２の例として、マグネットや面ファスナー、ボタンフックなどが望ましい。尚、連結するという機能面にのみ着目した場合には、上記以外に例えば狭持クリップや吸盤等を採用することも可能である。
【００２５】
連結機構１２がマグネットの場合は、例えば一方の安全フック１１にプラス側、他方の安全フック１１にマイナス側のマグネットが装備されることで、二丁の安全フック１１同士が向かい合う形で相互に磁着して連結される。また、連結機構１２が面ファスナーの場合は、一方の安全フック１１にフック状面、他方の安全フック１１にループ状面を貼着して、二丁の安全フック１１同士が向かい合う形で押し付けられることにより係着して連結される。さらに、連結機構１２がボタンフックの場合は、一方の安全フック１１に雄側、他方の安全フック１１に雌側のボタンフックが貼着されることで、二丁の安全フック１１同士が向かい合う形で雄側と雌側とが嵌着して連結される。
【００２６】
このとき、連結機構１２の構造について、一方の安全フック１１のストッパー１３を開放することで、二丁の安全フック１１における連結機構１２の連結状態が解除される構造とすることが可能である。かかる構造の具体例として、例えば連結機構１２がマグネットの場合、ストッパー１３を開放する際の該ストッパー１３の動きに合わせてマグネットの位置を移動させることで、互いのマグネットの磁着状態を解除する態様が考え得る。また、連結機構１２が面ファスナーやボタンフックの場合は、同様にストッパー１３の動きに合わせて面ファスナーやボタンフックを内側へ窪ませる様に移動させることで、互いの係着状態・嵌着状態を解除する態様が考え得る。
【００２７】
以上で構成される本発明にかかる二丁掛け安全帯１０について、次に、安全フック１１の連結機構１２並びに連結態様を説明する。
図２は、本発明にかかる二丁掛け安全帯１０の連結機構１２の取り付け状態を示す説明図であり、（ａ）は一方の安全フック１１に連結機構１２（マグネット若しくは面ファスナー）が装着される状態を示す側面図、（ｂ）は連結機構１２（マグネット若しくは面ファスナー）が装着された二丁の安全フック１１を重ね合わせて連結した状態を示す説明図である。
【００２８】
図２（ａ）に示すように、二丁の安全フック１１を重ね合わせた際の対向する内側面の所定箇所に連結機構１２が装着されるもので、該連結機構１２の安全フック１１への装着方法については特に限定は無いが、例えばねじ止めによる螺着や接着剤による貼着によって装着されることとなる。したがって、既存の安全フック１１に対しても、後付けで本発明を採用することが可能である。
【００２９】
尚、図面では、連結機構１２を安全フック１１の外面に装備する態様について示しているが、連結機構１２がマグネットの場合など、安全フック１１の内部スペースに内蔵させる態様も可能である。
【００３０】
連結機構１２は、二丁の安全フック１１を重ね合わせた際の対向する内側面に夫々装着されていることから、図２（ｂ）に示すように、二丁の安全フック１１を重ね合わせた状態で連結し、一体化することとなる。したがって、二丁の安全フック１１が互いにぶつかり合うことなく、衝突音を防止すると共に安全フック１１の破損防止が図られる。
【００３１】
以上で構成される本発明にかかる二丁掛け安全帯１０について、次に、その使用態様を順を追って説明する。
図３は、本発明にかかる二丁掛け安全帯１０の使用状態を示す説明図であり、（ａ）乃至（ｄ）の順に沿って移動若しくは作業が移行する。
【００３２】
（１）建築現場、橋梁工事、鉄塔工事等の高所作業場に設置された親綱Ｒに連結機構１２を介して連結された二丁の安全フック１１を同時に掛け、その状態で移動若しくは作業を行う（図３（ａ）参照）。
（２）建物の鉄筋柱や境目に当面したら、先行する安全フック１１を親綱Ｒから取り外し、次の親綱Ｒに掛ける（図３（ｂ）参照）。
（３）もう一方の後行する安全フック１１を親綱Ｒから取り外し、次の親綱Ｒに掛ける（図３（ｃ）参照）。
（４）二丁の安全フック１１を連結機構１２を介して連結し、次への移動若しくは作業を行う（図３（ｄ）参照）。
（５）尚、図示してはいないが、移動若しくは作業が終了した場合は、連結機構１２を介して連結された二丁の安全フック１１を親綱Ｒから同時に外す。
【００３３】
以上で構成される本発明にかかる二丁掛け安全帯１０は、安全フック１１を二丁掛けにすることによって、広範囲に移動する場合や、鉄骨柱Ｔを跨ぐ状態で移動しながら作業する場合において、作業者が一時的に落下の危険性に晒されるといった安全上の問題を解決することができると共に、既存の安全帯のフックに後付けで採用することができ、さらに、二丁の安全フック１１が連結機構１２によって一体化できることによって、二丁の安全フック１１を親綱Ｒや誘導パイプ等に対し同時に掛け外し可能であると共に、移動時ならびに作業時において二丁の安全フック１１が互いにぶつかり合って発生する衝突音を防止することができると共に、安全フック１１の破損防止にも資するものである。
【産業上の利用可能性】
【００３４】
本発明は、二丁の安全フック１１がぶつかり合うことで生ずる衝突音や破損のおそれを簡易且つ軽量な構造によって防止することができると同時に、作業現場における安全性の確保が容易にできることから、本発明にかかる「二丁掛け安全帯」の産業上の利用可能性は極めて大であるものと思料する。
【符号の説明】
【００３５】
１０    二丁掛け安全帯
１１    安全フック
１２    連結機構
１３    ストッパー
１５    胴巻ベルト
１６    命綱
１７    命綱巻き取り装置
１８    収納袋
１９    連結バックル
２０    長さ調整バックル
２１    スライド連結バックル
Ｒ    親綱
Ｔ    鉄骨柱
Ｓ    作業者
【図１】
2018079128.tif 000003
【図２】
2018079128.tif 000004
【図３】
2018079128.tif 000005